(57)【要約】【課題】目地部を十分に保護することができるタイルユニット及びタイル張付構造を提供する。【解決手段】タイルユニットは、複数枚のタイル１が目地間隔をあけて配列され、目地間隙に弾性目地材２が充填されると共に、タイル１同士がそれらの前面に付着された透明シート３によって連結されて一体化されたものである。透明シート３はタイル１の前面に対し粘着剤や接着剤によって付着される。【選択図】図１
2006226031.tif 000002
【特許請求の範囲】
【請求項１】
タイルが目地間隔をあけて複数枚配列され、隣接するタイル同士が連結手段によって連結されているタイルユニットにおいて、
該連結手段は、該タイルユニットの前面の全体を覆っている透明シートよりなることを特徴とするタイルユニット。
【請求項２】
複数枚のタイルが目地間隔をあけて下地面に張付けられているタイル張付構造において、
透明シートによってこれらのタイルの前面及び目地が覆われていることを特徴とするタイル張付構造。
【発明の詳細な説明】
【技術分野】
【０００１】
本発明は、タイルユニット及びタイル張付構造に関する。
【背景技術】
【０００２】
Ｉ．複数のタイルを連結したタイルユニットを壁面に張り付け施工すると、タイルを１枚ずつ張り付け施工する場合に比べ、施工効率が著しく向上する。このようなタイルユニットとして、複数枚のタイルが縦横に配置され、隣接するタイル同士が連結用樹脂によって部分的に連結されたタイルユニットが広く用いられるようになってきている（例えば、特開２００２−８１１８９号、特開２００２−８９０１１号）。
【０００３】
II．タイル及び目地部の保護のためにタイル及び目地部にアクリル樹脂塗料や有機シリコン系エマルションを塗布することが特開２００４−２５１１００号に記載されている。
【特許文献１】特開２００２−８１１８９号
【特許文献２】特開２００２−８９０１１号
【特許文献３】特開２００４−２５１１００号
【発明の開示】
【発明が解決しようとする課題】
【０００４】
上記特開２００４−２５１１００号のように塗料やエマルションを塗布することは、目地の保護に一応の効果はあるが、さらに一段の改善が望まれる。
【０００５】
本発明は、目地部を十分に保護することができるタイルユニット及びタイル張付構造を提供することを目的とする。
【課題を解決するための手段】
【０００６】
請求項１のタイルユニットは、タイルが目地間隔をあけて複数枚配列され、隣接するタイル同士が連結手段によって連結されているタイルユニットにおいて、該連結手段は、該タイルユニットの前面の全体を覆っている透明シートよりなることを特徴とするものである。
【０００７】
請求項２のタイル張付構造は、複数枚のタイルが目地間隔をあけて下地面に張付けられているタイル張付構造において、透明シートによってこれらのタイルの前面及び目地が覆われていることを特徴とするものである。
【発明の効果】
【０００８】
本発明のタイルユニット及びタイル張付構造にあっては、タイル及び目地間隔の前面の全体が透明シートで覆われているので、目地に汚れや水が直に付くことがなく、目地汚れが長期にわたって確実に防止される。また、タイルの剥離、脱落も防止される。なお、このシートは透明であるので、タイルの美観を損うこともない。
【発明を実施するための最良の形態】
【０００９】
以下、図面を参照して実施の形態について説明する。図１（ａ）は実施の形態に係るタイルユニットの断面図、図１（ｂ）は同（ａ）の一部の拡大図、図２は実施の形態に係るタイル張付構造を示す断面図である。
【００１０】
図１に示すタイルユニットは、複数枚のタイル１が目地間隔をあけて配列され、目地間隙にシリコーン系などの弾性目地材２が充填されると共に、タイル１同士がそれらの前面に付着された透明シート３によって連結されて一体化されたものである。弾性目地材２は透明シート３によってタイル１同士を連結一体化する前に充填されてもよく、連結一体化した後に充填されてもよい。なお、目地材は弾性目地材以外のもの、例えばセメントモルタル等であってもよい。
【００１１】
透明シート３は弾性目地材２も覆っている。図１では、弾性目地材２はタイル１の前面よりも後退し、透明シート３は目地間隙において弾性目地材２に接するように凹んでいるが、弾性目地材２がタイル１と面一に充填され、透明シート３が平たく張設されてもよい。
【００１２】
図１では、タイル１は３枚図示されているが、タイルの枚数はこれに限定されない。
【００１３】
透明シート３としては、ポリプロピレン、ポリエチレン等のポリオレフィン系合成樹脂よりなるものが好適であり、その厚さは１０μｍ〜３００μｍが好適である。透明シート３はタイル１の前面に対し粘着剤や接着剤によって付着されるのが好ましい。
【００１４】
このように透明シート３で前面の全体が覆われているところから、このタイルユニットは目地材２を含めて前面に汚れが付着しにくく、また仮に付着しても雨水や散水によって流れ落ちるので、長期にわたって美観が保たれる。さらに、タイル１の剥離、脱落も防止される。
【００１５】
なお、このタイルユニットは、接着剤やモルタル等によって壁面に張付施工される。
【００１６】
図２のタイル張付構造では、アルミ等よりなる補強枠４の前面にＧＲＣボード等よりなる補強板５が接着剤及びビス留めにより固着されている。この補強板５の前面に接着剤６を介して複数枚のタイル７が接着され、各タイル７間の目地間隙に弾性目地材８が充填されている。この実施の形態では、弾性目地材８はタイル７の前面と面一となるように充填されている。
【００１７】
タイル７及び弾性目地材２の前面に対し透明シート９が粘着剤や接着剤によって付着されている。
【００１８】
タイル７はタイルパネル製造工場で補強板５に張り付けられ、目地詰め後、透明シート９が貼着されてもよい。また、施工現場において、壁下地として設けられている補強板５に対し接着剤６によってタイル７を張り付け、目地詰め後、透明シート９を貼着してもよい。
【００１９】
このタイル張付構造においても、タイル７及び弾性目地材８の全面が透明シート９で覆われているので、目地材２を含めて汚れが付着しにくく、長期にわたって美観が保たれる。また、タイル７の剥離、脱落も防止される。
【００２０】
図２ではタイル下地は補強板５で構成されているが、コンクリート壁等であってもよい。
【００２１】
上記実施の形態では、弾性目地材２，８を採用しているところから、タイルパネルが撓んだりしてもタイル側面に加わる応力が緩和され、タイル破損が防止される。図２の実施の形態では、補強板５が補強枠４によって補強され、剛性の高いものとなっているので、タイルパネルが撓みにくく、これによっても、タイルの破損が防止される。なお、重量軽減のために補強板５に孔を設けてもよい。
【００２２】
本発明では、透明シート３，９の表面に無機系コーティングを施してもよい。この無機系コーティングとして水ガラス系のものなどシリカ系のものを用いると、透明シート表面の親水性が増大し、透明シートに汚れが付着残留しにくくなる。
【図面の簡単な説明】
【００２３】
【図１】図１（ａ）は実施の形態に係るタイルユニットの断面図、図１（ｂ）は同（ａ）の一部の拡大図である。
【図２】実施の形態に係るタイル張付構造を示す断面図である。
【符号の説明】
【００２４】
１，７  タイル
２，８  弾性目地材
３，９  透明シート
５  補強板
【図１】
2006226031.tif 000003
【図２】
2006226031.tif 000004